(57)【要約】【課題】  種々の外形形状をなす便器に対応可能な便器用手すりを提供する。【解決手段】  便器２の左右両側に設置される左右一対の側枠３Ａ，３Ｂと、該左右一対の側枠３Ａ，３Ｂの間に架設される連結枠４と、を有し、前記左右一対の側枠３Ａ，３Ｂには手すり部５がそれぞれ取り付けられている便器用手すり１であって、前記側枠３Ａ，３Ｂ又は前記連結枠４には左右一対のアーム８が、該側枠３Ａ，３Ｂ又は該連結枠４に対して回動することにより前記便器２の側面に接近あるいは離隔可能に設けられているとともに、前記アーム８上には、該アーム８が前記便器２の側面に接近した場合に該便器２の側面に当接される薄板状の当接部９Ｂを有する固定部材９が設けられている。【選択図】      図１
2015202123.tif 000002
【特許請求の範囲】
【請求項１】
便器の左右両側に設置される左右一対の側枠と、該左右一対の側枠の間に架設される連結枠とを有し、前記左右一対の側枠には手すり部がそれぞれ取り付けられている便器用手すりであって、
前記側枠又は前記連結枠には左右一対のアームが、該側枠又は該連結枠に対して回動することにより前記便器の側面に接近あるいは離隔可能に設けられているとともに、
前記アーム上には、該アームが前記便器の側面に接近した場合に該便器の側面に当接される薄板状の当接部を有する固定部材が設けられている
ことを特徴とする便器用手すり。
【請求項２】
前記固定部材の当接部は、前記アームに対する取付角度が変更可能に取り付けられる
請求項１に記載の便器用手すり。
【請求項３】
前記固定部材には前記当接部として、前記便器の側面で上端部に当接される第１当接部と、前記便器の側面で該第１当接部が当接された部位よりも下方位置に当接される第２当接部とが設けられている
請求項１又は請求項２に記載の便器用手すり。
【請求項４】
前記固定部材において、前記当接部の表面が弾性材料からなる被覆材で覆われている
請求項１から請求項３のうち何れか一項に記載の便器用手すり。
【発明の詳細な説明】
【技術分野】
【０００１】
本発明は、既設の便器に後付けで手すり部を設けるべく使用される便器用手すりに関する。
【背景技術】
【０００２】
従来、高齢者や身障者が洋式トイレを使用する際の立ち座りを補助するために、既設の洋式便器に対して、壁への穴空け等のような工事を必要とせず、簡単で便利に後付けで取り付けられる便器用手すりが提供されている（例えば特許文献１及び特許文献２）。
上記便器用手すりは、便器の左右両側の対称位置に設置される左右一対の側枠と、該左右一対の側枠の間に差し渡される連結枠とを備えており、該左右一対の側枠の上部に手すり部が設けられているとともに、該便器用手すりを洋式トイレに固定するための固定アームを有している構成とされている。
特許文献１に記載の便器用手すりは、左右一対の固定アームが上記連結枠から斜め上方に差し出されており、該固定アームの先端を便器の側面に圧接させ、該便器と該連結枠との間で該固定アームを所謂、筋交いのように機能させることで、該連結枠が床面に押し付けられて、該便器用手すりがしっかりと固定される。
特許文献２に記載の便器用手すりは、左右一対の固定アームが上記連結枠から後方に差し出されており、便器の前側部分に存在する括れに該連結枠を引っ掛けつつ、該固定アームの間に便器が挟持されるようにして該固定アームを該便器の側面に圧接させることで、該便器用手すりがしっかりと固定される。
なお上記固定アームは、直線状あるいは曲線状の金属パイプ等により、撓んだり、弾性変形したりしにくい剛性体とされており、例えば手すり部に体重をかけた場合に固定が緩んだり、解除されたりすることを防止している。
【先行技術文献】
【特許文献】
【０００３】
【特許文献１】特開平１０−２０１６７３号公報
【特許文献２】特開２００６−０００６２２号公報
【発明の概要】
【発明が解決しようとする課題】
【０００４】
ところが、近時の洋式トイレにあっては、節水効果、掃除のしやすさ、あるいはデザイン性向上等を謳い、様々な形状の便器が提供されているが、こうした便器の中に、上記便器用手すりで対応できない形状のものがあるという問題があった。
例えば、特許文献１に記載の便器用手すりは、側面が略平坦な形状の便器の場合、該側面に追従するように該固定アームが撓んだり、弾性変形したりすることができないため、該固定アームを十分に圧接させることができない。
特許文献２に記載の便器用手すりは、側面が極端に括れた形状の便器の場合、該固定アームの間に便器を挟持することができないため、該固定アームを十分に圧接させることができない。
本発明は、このような従来技術に存在する問題点に着目してなされたものである。その目的とするところは、種々の外形形状をなす便器に対応可能な便器用手すりを提供することにある。
【課題を解決するための手段】
【０００５】
上記従来の問題点を解決する手段として、請求項１に記載の便器用手すりの発明は、便器の左右両側に設置される左右一対の側枠と、該左右一対の側枠の間に架設される連結枠とを有し、前記左右一対の側枠には手すり部がそれぞれ取り付けられている便器用手すりであって、前記側枠又は前記連結枠には左右一対のアームが、該側枠又は該連結枠に対して回動することにより前記便器の側面に接近あるいは離隔可能に設けられているとともに、前記アーム上には、該アームが前記便器の側面に接近した場合に該便器の側面に当接される薄板状の当接部を有する固定部材が設けられていることを要旨とする。
請求項２に記載の発明は、請求項１に記載の便器用手すりの発明において、前記固定部材の当接部は、前記アームに対する取付角度が変更可能に取り付けられることを要旨とする。
請求項３に記載の発明は、請求項１又は請求項２に記載の便器用手すりの発明において、前記固定部材には前記当接部として、前記便器の側面で上端部に当接される第１当接部と、前記便器の側面で該第１当接部が当接された部位よりも下方位置に当接される第２当接部とが設けられていることを要旨とする。
請求項４に記載の発明は、請求項１から請求項３のうち何れか一項に記載の便器用手すりの発明において、前記固定部材において、前記当接部の表面が弾性材料からなる被覆材で覆われていることを要旨とする。
【発明の効果】
【０００６】
〔作用〕
本発明の便器用手すりは、側枠又は連結枠に対して回動することにより便器の側面に接近あるいは離隔可能に設けられた左右一対のアームと、該アーム上に設けられた薄板状の当接部とを有している。一般的な外形形状の洋式トイレの場合、該便器用手すりは、側枠又は連結枠に対して左右一対のアームを回動させ、該アームを便器の側面に強く押し当てて圧接させることにより、便器に固定することが可能である。
一方、該アームを側面に圧接させることが難しい、つまり該アームを側面に接触させづらい外形形状の洋式トイレの場合、該便器用手すりは、該アームに設けられた固定部材を便器の側面に強く押し当てて圧接させることにより、固定が可能となる。即ち、該固定部材は、薄板状の当接部を有しており、該当接部が撓んだり、弾性変形したりすることで、該当接部を便器の側面の形状に追従させることが可能となる。このため、該当接部と該アームによって該便器に接触することができる範囲は、該アームのみによって該便器に接触することができる範囲に比べて広くなる。
さらに、便器の側面の形状に追従して撓んだり、弾性変形したりするのは、該固定部材の当接部に限られ、該アームとしての機能は喪われておらず、手すり部に体重をかけた場合に固定が緩んだり、解除されたりすることが防止される。さらにまた一般的な外形形状の洋式トイレに使用する場合であっても、該固定部材の当接部は、便器の側面に対する接触面積を広げることで、固定力を向上させるという効果を奏する。
また上記固定部材の当接部を、前記アームに対する取付角度を変更可能に取り付けた場合、該当接部は、便器の側面の形状により好適に対応できるようになる。
また上記当接部として、前記便器の側面で上端部に当接される第１当接部と、前記便器の側面で該第１当接部が当接された部位よりも下方位置に当接される第２当接部とを設けた場合、該当接部を便器の側面へ良好に接触させることができる。即ち、何れの外形形状の洋式トイレの便器であっても、側面の上端部、つまりリムの外周面部分は、比較的平坦な立ち上がり形状となっており、上記第１当接部を設けることで、該側面の上端部に該第１当接部を確実に当接させることができる。さらに何れの外形形状の洋式トイレの便器でも、側面の上端部の周縁は比較的平坦な形状となっていることが多く、上記第２当接部を設けることで、該第２当接部の何れかの箇所を便器の側面に接触させることができる。
また上記当接部の表面を弾性材料からなる被覆材で覆うことで、便器の傷付きを抑制することができるとともに、該便器の側面が多少凹凸となっていても、該被覆材が弾性変形することによって追従することができる。
【０００７】
〔効果〕
本発明の便器用手すりによれば、種々の外形形状をなす便器に対応することができる。
【図面の簡単な説明】
【０００８】
【図１】実施形態の便器用手すりを示す斜視図。
【図２】便器用手すりを実施形態の便器に取り付けた状態を示す側面図。
【図３】右側枠を示す（ａ）は前側から見た斜視図、（ｂ）は後側から見た斜視図。
【図４】連結枠を示す斜視図。
【図５】固定部材を示す（ａ）は斜視図、（ｂ）は便器に当接された状態を示す斜視図。
【発明を実施するための形態】
【０００９】
本発明の便器用手すりを具体化した一実施形態を図面に基づき説明する。
なお、以下の文中に示す方向は、特に説明の無い限り、便器に座った使用者から見た状態での前方、後方、右方、左方とする。
＜便器用手すり＞
図１及び図２に示すように、便器用手すり１は、便器２の両側に設置される右側枠３Ａ及び左側枠３Ｂからなる左右一対の側枠３Ａ，３Ｂと、該左右一対の側枠３Ａ，３Ｂの間で左右方向に差し渡される連結枠４と、を備えている。また該左右一対の側枠３Ａ，３Ｂのそれぞれ上部には、手すり部５が設けられている。
上記連結枠４は、便器２の前部に当接される前枠部６と、該前枠部６を前記側枠３Ａ，３Ｂに連結するための連結部７とを有している。また該連結部７からは、左右一対のアーム８が後方に向けて差し出されている。
そして上記便器用手すり１において、左右一対のアーム８上には、固定部材９が設けられている。
【００１０】
＜便器＞
ここで、本実施形態の便器２の形状について説明する。図２に示すように、該便器２は、洋式トイレのものであって、側面の後部で上半部に大きく抉れた部位２Ａが設けられており、リム２Ｂの外面の下部から大きく括れた形状となっている。
そして、該便器２においては、上記便器用手すり１のアーム８の後端部が、抉れた部位２Ａ上に位置するようになっている。
【００１１】
＜側枠＞
図２及び図３（ａ），（ｂ）に示すように、左右一対の側枠３Ａ，３Ｂである右側枠３Ａ及び左側枠３Ｂは、前後に滑り止め用の脚ゴム１１ａがそれぞれ取り付けられた水平杆１１と、該水平杆１１の中央部から立設された管状の垂直杆１２とを有している。
側枠３Ａ，３Ｂの上部に設けられた手すり部５は、上記垂直杆１２の上部に上下摺動可能に挿着される挿着杆１３と、該挿着杆１３の上部に取り付けられた枢着基部１４と、該枢着基部１４の上側に取り付けられた肘掛け部１５とを有している。
上記肘掛け部１５は、枢着ピン１６を中心として枢着基部１４を上方に回動させることにより、使用者の手前側に跳ね上げ可能とされている。
上記手すり部５は、挿着杆１３に縦列して設けられた複数の孔１３ａの何れか１つと、垂直杆１２に設けられた孔（図示略）の位置を一致させ、それぞれの孔に調節ボルト１７を垂直杆１２の外側から挿通し、該調節ボルト１７を螺着して垂直杆１２に押し付けることで高さを調節することができる。
【００１２】
＜連結枠＞
図４に示すように、上記連結枠４において、前枠部６は、平面視で略Ｖ字状に形成されている。該形状とした前枠部６は、当接される便器２の前部の形状に応じた形状となり、また使用者が着座姿勢から立ち上がる際の足引きスペースを確保し、立ち上がり動作を容易に行うことができるようにしている。
上記前枠部６の左右両端からは、それぞれ連結部７が後方に向けて延設されている。該左右一対の連結部７は、該前枠部６と連続するように一体的に形成されている。該連結部７の内側には、取着部１８が形成されている。該取着部１８には、回動軸１８ａが形成されており、該回動軸１８ａに上記アーム８が、該取着部１８に対して回動自在となるように取り付けられている。
上記アーム８は、円柱形状の棒部材によって、撓んだり、弾性変形したりしにくい剛性体とされている。該アーム８の後部には、滑り止めのためのグリップ８ａが取り付けられている。上記連結部７の後部には押出ボルト１９が、後方から前方に向けて斜めに配置されるとともに、その先端部を上記アーム８に接触させるように、螺着されている。
上記押出ボルト１９を締め付けると、上記左右一対のアーム８は、上記回動軸１８ａを中心として上記便器２の側面に接近するように回動し、該便器２の左右側部を左右後寄りから抱え込み、前枠部６の先端内側を便器２の前部に当接させる（図２参照）。また上記押出ボルト１９を緩めると、上記左右一対のアーム８は、上記回動軸１８ａを中心として上記便器２の側面から離隔するように回動し、該便器２の抱え込みを解除する。
【００１３】
＜連結構造＞
上記左右一対の側枠３Ａ，３Ｂと、上記連結枠４と、を連結するべく、該左右一対の側枠３Ａ，３Ｂにはそれぞれ連結プレート２１が取り付けられており、該連結枠４の左右一対の連結部７にはそれぞれ連結具２４が取り付けられている。該連結プレート２１と該連結具２４とを係合して、固定することにより、左右一対の側枠３Ａ，３Ｂと連結枠４とが連結される。そして、上記連結プレート２１には突片２２が設けられ、上記連結具２４には凹溝２５が設けられている。
【００１４】
（連結プレート）
図３（ａ），（ｂ）に示すように、連結プレート２１は、四角板状に形成されており、上記左右一対の側枠３Ａ，３Ｂの垂直杆１２において中間部の内面上に取り付けられている。該連結プレート２１を、上記連結枠４の差し渡し方向である左右方向と交差する方向である前方へ伸びるように、該垂直杆１２よりも前方へ突出して配設することにより、該突出部分によって仮組手段を構成する突片２２が構成されている。
上記突片２２の前端部には、軸体２３が、該突片２２と交差する方向である右方向へ伸びるように、上下一対突設されている。また上下一対の該軸体２３の表面には、それぞれネジ溝が螺刻されている（図示略）。
【００１５】
（連結具）
図４に示すように、連結具２４は、板状体を平面視でＪ字状に曲げて形成されており、上記連結枠４において、連結部７の前部で外側面に取り付けられている。該連結金具２４にあっては、Ｊ字状に曲げた内側部分により、凹溝２５が構成されている。
上記凹溝２５の外側となる側壁には、挿し孔２６が、上記突片２２に設けられた軸体２３と対応する位置になるように、上下一対透設されている。該挿し孔２６は、上記凹溝２５の開口端縁に開口２６ａが設けられるとともに、該開口２６ａから斜め上方へ伸びるように設けられている。
【００１６】
（スペーサー）
例えば、上記洋式トイレが温水シャワー機能を有するものであって、その操作盤が便座の右側等に設けられている場合には、必要に応じて、上記側枠３Ａ，３Ｂと上記連結枠４との間隔を広げるべく、該側枠３Ａ，３Ｂと連結枠４との間にスペーサー２７が介装される（図１参照）。該スペーサー２７は、上記側枠３Ａ，３Ｂに取り付けられた連結プレート２１と、上記連結枠４に取り付けられた連結具２４との双方に対して連結可能に構成されている。
【００１７】
＜固定部材＞
本実施形態の便器２は、側面に抉れた部位２Ａが設けられており、該抉れた部位２Ａに上記アーム８の後端部が位置している。このため、上記左右一対のアーム８で上記便器２の左右側部を左右後寄りから抱え込む際に、該アーム８の後端部を便器２の側面に接触させることができず、固定が難しくなる。そこで、該アーム８上に固定部材９が設けられている。
図５（ａ），（ｂ）に示すように、固定部材９は、上記アーム８に取り付けるための取付部９Ａと、便器２の側面に当接される薄板状の当接部９Ｂとを有している。
上記取付部９Ａは、薄板を立体形状（実施形態では断面凸字状）に曲げて形成されている。上記当接部９Ｂは、縦長四角形の薄板状に形成されている。そして、上記当接部９Ｂの外側となる表面に上記取付部９Ａを取り付けて固定することにより、上記当接部９Ｂが筒状に形成されている。
上記取付部９Ａの内部には、上記アーム８が挿通され、これにより、上記固定部材９が上記アーム８上に設けられる。また該取付部９Ａは、四角筒状に形成されており、上記当接部９Ｂの上記アーム８に対する取付角度を変更可能としている。すなわち、四角筒状をなす該取付部９Ａと、その内部に挿通されたアーム８との間には、有余スペースが設けられている。上記固定部材９を上記アーム８上に設けるべく上記取付部９Ａ内に上記アーム８を挿通する際には、該有余スペースを使用することで、上記当接部９Ｂの上記アーム８に対する取付角度の自由度が高まるので、該取付角度を適宜変更することが可能になる。そして、上記固定部材９を上記アーム８上に設ける際には、前記取付角度の自由度が高いことを利用し、上記当接部９Ｂの上記アーム８に対する取付角度を変更して調節することにより、上記当接部９Ｂを上記便器２の側面の傾斜に好適に対応させることができる。
【００１８】
上記当接部９Ｂは、縦長四角形、つまり縦向きとすることで、上記便器２の側面で上端部のリム２Ｂ外面に当接される第１当接部９１Ｂと、上記便器２の側面で該第１当接部９１Ｂが当接された部位よりも下方位置において、上記抉れた部位２Ａを跨ぎ越して当接される第２当接部９２Ｂとが設けられている（図２参照）。すなわち、該当接部９Ｂは、何れかの箇所が上記便器２の側面に必ず接触するように構成されている。また当接部９Ｂは、薄板状としたことにより、便器２の側面の曲面に応じて弾性変形することが可能であり、これによって便器２に対する接触面積を可能な限り大きくすることができる。さらに、例えば上記洋式トイレが温水シャワー機能を有するものであって、操作盤やタンク等が便座の側方に設けられているため、該操作盤や該タンク等と上記便器２の側面との空間が僅かである場合に、該当接部９Ｂを薄板状にすることで、該操作盤や該タンク等に邪魔されることなく該空間を通して該当接部９Ｂを上記便器２の後方へ送ることができる。
上記当接部９Ｂの内側となる表面には、断面横Ｌ字状をなす係止突部９Ｃが設けられている。該係止突部９Ｃは、前記便器２の側面に抉れた部位２Ａ（図２参照）を設けられた形状である場合に、該抉れた部位２Ａに入り込み、該便器２のリム２Ｂの外面の下縁に係止される。そして、該係止突部９Ｃがリム２Ｂに係止されることにより、固定部材９からアーム８と連結枠４を介して左右一対の側枠３Ａ，３Ｂを床面に押しつける力が生じ、便器用手すり１がしっかりと固定される。
また、上記固定部材９において、前記当接部９Ｂの内側となる表面は、例えば天然ゴム、合成ゴム等のゴム類やエラストマーなどといった弾性材料からなる被覆材９Ｄで覆われている。該被覆材９Ｄは、前記当接部９Ｂが上記便器２に当接する際に該便器２の傷付きを抑制するとともに、該当接部９Ｂの上記便器２に対する滑りを抑制する。
【００１９】
＜固定方法＞
上記便器用手すり１を便器２に取り付ける場合には、右側枠３Ａ及び左側枠３Ｂと、連結枠４とを連結した後、該連結枠４の前枠部６を便器２の前部に接触させた状態とする。
上記便器用手すり１の固定部材９にあっては、当接部９Ｂが便器２の側面の傾斜に対応できるように、取付部９Ａにアーム８を挿通する際に該当接部９Ｂの該アーム８に対する取付角度を適宜変更して適値になるように調節したうえで、上記便器用手すり１の押出ボルト１９を締め付ける。すると、左右一対のアーム８が便器２の側面に接近するように回動し、固定部材９の当接部９Ｂが該便器２の側面に好適に当接される。また該固定部材９にあっては、便器２の側面で抉れた部位２Ａを避けるように、前記アーム８上における位置を調節することも可能である。さらに、該固定部材９は、前記取付部９Ａ内に設けられた上記有余スペースを使うことで、前記便器２の側面の傾斜に追従して前記アーム８に対する前記当接部９Ｂの取付角度が最適値になるように若干変化する。そして、該固定部材９の当接部９Ｂは、前記便器２の側面の曲面形状に応じて弾性変形することで、該便器２に対する接触面積を広く保ちつつ、該便器２の側面に好適に当接される。
その後、押出ボルト１９をさらに締め付けると、アーム８を介して固定部材９の当接部９Ｂが便器２の側面に圧接されることにより、左右一対のアーム８が便器２を左右後寄りから抱え込み、前枠部６の先端内側が便器２の前部に当接されて、固定が完了する。
【００２０】
＜変更例＞
本発明は、上記の実施形態に限定されるものではなく、以下のように変更してもよい。
上記固定部材９にあって上記当接部９Ｂは、上記アーム８に対する取付角度が変更可能に取り付けられるのであれば、上記実施形態の構成に限定されず、例えば上記取付部９Ａを上記アーム８上に遊嵌状態で装着し、上記当接部９Ｂを上記アーム８に対して上下方向に揺動自在に取り付け、該当接部９Ｂを該アーム８に対して揺動させることで取付角度が変更されるように構成してもよい。加えて、当接部９Ｂをアーム８に対して揺動させることで取付角度を変更する場合、取付部９Ａを四角筒状とし、該取付部９Ａを当接部９Ｂに回動可能に取り付け、当接部９Ｂを取付部９Ａに対して回動させることにより、該当接部９Ｂを該アーム８に対して前後方向へ揺動させてもよく、さらに上記取付部９Ａの遊嵌による当接部９Ｂのアーム８に対する上下方向への揺動を加え、該当接部９Ｂを該アーム８に対して前後及び上下方向へ揺動させてもよい。
なお、当接部９Ｂは、必ずしも上記アーム８に対する取付角度が変更可能に取り付けられることに限らず、例えば上記固定部材９を上記アーム８に固定状態で取り付けて、該取付角度が変更可能な構成を省略してもよい。
上記係止突部９Ｃを省略するか、あるいは上記当接部９Ｂに対して着脱可能としてもよい。
上記アーム８は、後方へ略真っ直ぐに伸びるものに限らず、途中で折れ曲がって上方や前方へ伸びるようにしてもよい。また上記アーム８は、連結枠４に設けることに限らず、左右一対の側枠３Ａ，３Ｂに設けてもよい。
【産業上の利用可能性】
【００２１】
本発明の便器用手すりにあっては、種々の外形形状をなす便器に対応可能であるから、産業上の利用可能性がある。
【符号の説明】
【００２２】
１    便器用手すり
２    便器
３Ａ，３Ｂ  側枠
４    連結枠
５    手すり部
９    固定部材
９Ｂ  当接部
９１Ｂ  第１当接部
９２Ｂ  第２当接部
【図１】
2015202123.tif 000003
【図２】
2015202123.tif 000004
【図３】
2015202123.tif 000005
【図４】
2015202123.tif 000006
【図５】
2015202123.tif 000007